(57)【要約】【課題】地理的情報、即ち地域情報を主としてニーズ情報を分類し、当該ニーズを解決するのに適したシーズ提供者を、地域情報に基づいて選定できるようにした仲介サーバを提供する。【解決手段】多くのニーズ情報を地域情報により仕分けし、当該地域情報を要素とする情報の取得を希望するシーズ提供者に当該ニーズ情報を提供するようにした仲介サーバとする。そしてシーズ提供者がリクエスト情報に対応する提案情報を仲介サーバの記憶手段に記録し、これをニーズ情報の提供者が閲覧できるようにした仲介サーバとする。【選択図】図１
2014071781.tif 000002
【特許請求の範囲】
【請求項１】
記憶手段を具備し、第１ユーザーからのリクエスト情報を受信すると共に、これを第２ユーザーに提供する仲介サーバであって、
各第１ユーザーを、それぞれ一意のコードで記憶手段に登録する第一ユーザー登録手段と、
少なくとも何れかの第一ユーザーから受信したリクエスト情報を前記一意のコードに関連付けて記憶手段に保持するリクエスト情報登録手段と、
各第２ユーザーを記憶手段に登録する第２ユーザー登録手段と、
前記リクエスト情報登録手段に保持したリクエスト情報を抽出して、特定の第二のユーザーに提供する情報抽出手段と、
を具備し、
前記リクエスト情報は、第１ユーザーが指定する地域情報と付加情報を含み、
前記第２ユーザー登録手段は、各第２ユーザーが指定する対応地域情報を含み、
前記情報抽出手段は、取得した前記地域情報から、当該地域情報に対応する対応地域情報を登録している第２ユーザーを特定し、当該第２ユーザーに対して前記リクエスト情報と第１ユーザーを特定する一意のコードを提供することを特徴とする、仲介サーバ。
【請求項２】
前記記憶手段には、前記第１ユーザー毎に区画された第１ユーザーページが設けられており、
当該第１ユーザーページに対して、前記第２ユーザーがリクエスト情報に対応する提案情報を記録する為の提案情報記録手段を具備する、請求項１に記載の仲介サーバ。
【請求項３】
前記提案情報記録手段は、前記情報抽出手段が第２ユーザーに提供した記録を参照して、当該第２ユーザーが、前記第１ユーザーページに記録する権限の有無を確認する、請求項２に記載の仲介サーバ。
【請求項４】
前記記憶手段には、地域情報に関連付けて記録された相場情報が保持されており、
第１ユーザーによる地域情報の指定に応呼して、当該指定された地域情報を取得すると共に、当該地域情報に関連付けて保持されている相場情報を記憶手段から抽出して前記第１ユーザーに提供する相場情報提供手段を具備する、請求項１〜３の何れか１項に記載の仲介サーバ。
【請求項５】
前記記憶手段には、目的地域情報と当該目的地域情報からの移動時間又は移動距離ごとの地域情報とが保持されており、
前記第１ユーザーによる目的地域情報と当該目的地域情報までの移動時間又は移動距離の指定に基づいて、候補となる地域情報リストを記憶手段から抽出して第１ユーザーに提供する地域情報選択手段を具備し、
第１ユーザーが地域情報リストから選択した地域を、前記地域情報としてセットする、請求項１〜４の何れか１項に記載の仲介サーバ。
【発明の詳細な説明】
【技術分野】
【０００１】
本発明は地域情報に基づいてユーザー同士を結び付ける仲介サーバに関し、特に当該地域情報により第１ユーザーと第２ユーザーとのマッチングを行い、第１ユーザーのリクエスト情報を第２ユーザーに提供するように構成した仲介サーバに関する。
【背景技術】
【０００２】
インターネットをはじめとする情報通信ネットワーク環境の普及に伴い、企業間、個人間、或いは企業と個人間における様々なニーズとシーズを結び付けるマッチングシステムが種々提供されている。
【０００３】
例えば、特許文献１（特開２００９−２３８０６７号公報）では、サービス提供会社に個人情報を登録することなく、当該個人情報に基づいたマッチングサービスをより安全に提供することが可能なマッチングシステム及び個人情報管理装置を提案している。この文献で提案されているマッチングシステムは、複数の要素から構成される個人情報を記憶する個人情報記憶手段と、外部装置から前記個人情報の送信要求を受け付ける第１送信要求受付手段と、前記第１送信要求受付手段が前記送信要求を受け付ける毎に、前記個人情報記憶手段から前記個人情報を読み出し、当該個人情報の精度を低下させる処理を施すフィルタリング手段と、前記フィルタリング手段により処理された個人情報を前記外部装置に送信する個人情報送信手段とを備えている。
【０００４】
また不動産情報の提供に関するマッチングシステムも提案されている。例えば特許文献２（特開２００１−３４４３２９号公報）で提案されている賃貸マッチングシステムは、賃貸物件を探している人に対してインターネットホームページから探したい物件の希望条件を選択させ指定された条件で不動産業者が大家さんと交渉を行う事により効率的な賃貸探し方法を提供する為の賃貸マッチングシステムが提案されている。そしてこの文献では、「顧客が物件探し申し込みを行い、物件探し申込データベース７に登録されると、本システムの業者データベース６に登録されている業者に新規登録発生の通知メールが送られ、業者データベース６に登録された業者が本システムのインターネットサーバーに接続し、事前に登録されたＩＤとパスワードを入力することにより、顧客からの物件探し申し込みによって物件探し申込データベース７に登録された内容の一部あるいは全部を参照することができる」様に構成されている（段落番号〔００１７〕）。
【先行技術文献】
【特許文献】
【０００５】
【特許文献１】特開２００９−２３８０６７号公
【特許文献２】特開２００１−３４４３２９号公報
【発明の概要】
【発明が解決しようとする課題】
【０００６】
上記のとおり、従前においても様々なマッチングシステムは提供されている。しかしながら、従来提供されているマッチングシステムは、所定の掲示板等にニーズを登録すると、このニーズをシーズの提供者全員に配信するシステムとなっていた。この為、シーズ提供者にあっては、全てのニーズ情報が提供されることから情報が氾濫し、本来ならば有用なはずのニーズ情報が軽視されがちになっていた。
【０００７】
そこで本発明は、受け付けたニーズ情報の要素に応じて、これを配信するシーズ提供者を特定する事により、シーズ提供者には有用なニーズ情報のみを提供するように構成した仲介サーバを提供する事を第１の課題とする。
【０００８】
また、従前におけるマッチングシステムにおいて不動産物件、商品の売買、或いは各種業務の委託等を行おうとする場合、重要視されている情報は、対象とする物件や商品についての情報が主であった。しかしながら業務の委託等に際しては、あまりにも地理的に離れた業者に業務を委託するのは実情に沿うものではない。
【０００９】
そこで本発明は、地理的情報、即ち地域情報を主としてニーズ情報を分類し、当該ニーズを解決するのに適したシーズ提供者を、地域情報に基づいて選定できるようにした仲介サーバを提供する事を第２の課題とする。
【００１０】
更に、従前における不動産情報、特に賃貸物件情報を探し出す場合、多くは刊行物を利用したり、インターネット等の情報通信ネットワークを利用して、ユーザーが自ら希望に合う物件を探し出さなければならなかった。しかしながら、不動産事業者は、これらの情報提供媒体に提供していない自己管理物件の情報も保有しており、このような自己管理物件情報を取得する為には、実際に不動産事業者まで赴き、自ら探し出さなければならなかった。
【００１１】
そこで本発明は、不動産事業者毎に保有する自己管理物件情報を有効に活用するべく、当該不動産事業者が多くの物件情報を保有する地域に不動産物件を探しているユーザーの情報を、当該シーズ提供者である不動産事業者に提供するようにした仲介サーバを提供する事を第３の課題とする。
【課題を解決するための手段】
【００１２】
本発明は、前記課題の少なくとも何れかを解決するべく、多くのニーズ情報を地域情報により仕分けし、当該地域情報を要素とする情報の取得を希望するシーズ提供者に当該ニーズ情報を提供するようにした仲介サーバを提供する。
【００１３】
即ち本発明では、記憶手段を具備し、第１ユーザーからのリクエスト情報を受信すると共に、これを第２ユーザーに提供する仲介サーバであって、各第１ユーザーを、それぞれ一意のコードで記憶手段に登録する第一ユーザー登録手段と、少なくとも何れかの第一ユーザーから受信したリクエスト情報を前記一意のコードに関連付けて記憶手段に保持するリクエスト情報登録手段と、各第２ユーザーを記憶手段に登録する第２ユーザー登録手段と、前記リクエスト情報登録手段に保持したリクエスト情報を抽出して、特定の第二のユーザーに提供する情報抽出手段とを具備し、前記リクエスト情報は、第１ユーザーが指定する地域情報と付加情報を含み、前記第２ユーザー登録手段は、各第２ユーザーが指定する対応地域情報を含み、前記情報抽出手段は、取得した前記地域情報から、当該地域情報に対応する対応地域情報を登録している第２ユーザーを特定し、当該第２ユーザーに対して前記リクエスト情報と第１ユーザーを特定する一意のコードを提供する仲介サーバを提供する。
【００１４】
かかる仲介サーバは、取得するリクエスト情報が地域情報を含み、また第２ユーザー登録手段は、当該第２ユーザーが指定する対応地域情報を含んでいる。この為、前記情報抽出手段は、取得したリクエスト情報を、地域情報を検索キーとして抽出乃至は振り分けし、当該地域情報を指定する第２ユーザーに対してのみ、当該リクエスト情報を提供する事が可能になる。その結果、第２ユーザーに於いては、自ら希望しているリクエスト情報のみを取得可能となる事から、情報の氾濫などの問題を解消し、より有効にリクエスト情報を活用する事ができる。
【００１５】
一方、当該リクエスト情報を提供した第１ユーザーにおいても、十分な情報を有する第２ユーザーを選択して当該リクエスト情報が提供される事から、個人情報等が広い範囲に流出するおそれを無くし、有効な情報だけを取得することができる。
【００１６】
上記第１ユーザーは、個人、法人、事業者を問わず、少なくとも何らかのニーズを有する者が該当する。したがって、不動産情報の取得を希望する者や、物品の販売又は購入を希望する者、或いは何らかの役務の提供を希望する者であってよい。
【００１７】
第１ユーザー登録手段は、かかる第１ユーザーを一意のコードで記憶手段に登録する構成であり、例えばコンピュータで稼働するプログラムによって実現可能である。この一意のコードとしては、第１ユーザーの氏名や名称であっても良く、第１のユーザーが使用する端末（クライアント）に付与された識別記号（電話番号を含む）、或いは当該第１のユーザーが任意に設定した電子メールアドレスその他の記号（例えばユーザＩＤ）であってよい。
【００１８】
また、当該第１ユーザーが仲介サーバに提供するリクエスト情報としては、不動産情報、販売又は購入を希望する物品情報、或いは提供を希望する役務の情報であって良い。例えば不動産情報であれば、その所在を特定する地域情報、広さ、間取り、階数、賃貸又は購入費用、日当たり、築年数、周辺環境等の各種の要素を含んで構成することができる。また、物品の販売又は購入に関するリクエスト情報の場合には、販売又は購入を希望する物品名、価格、状態、程度、販売又は購入を希望する物品の所在である地域情報等の要素を含んで構成することができる。更に役務の提供を希望するリクエスト情報の場合には、役務の提供を受ける場所、役務の内容、予算等の要素を含んで構成することができる。但し、何れの場合であっても少なくとも地域情報を、当該リクエスト情報を構成する要素の１つに含んで構成されることになる。
【００１９】
かかるリクエスト情報は、リクエスト情報登録手段により、各第１ユーザー毎に設定された一意のコードに関連付けて記憶手段に保持される。かかるリクエスト情報登録手段も、通信手段を介して仲介サーバに入力されたリクエスト情報を保持するように構成されたプログラムにより実行する事ができる。なお、リクエスト情報の取得に際しては、例えば第１ユーザーが操作するクライアント端末により、当該仲介サーバにアクセスするように構成している場合、当該アクセス時に一意のコードの入力を要求し、当該一意のコードを仲介サーバが保持しておく事により、当該クライアント端末から要求されたリクエスト情報を一意のコードに関連付けて保持することができる。
【００２０】
また第２ユーザーは、個人、法人、事業者を問わず、少なくとも何らかのシーズを提供し得る者が該当する。したがって、不動産情報を提供できる者や、物品の販売又は購入を行い得る者、或いは何らかの役務を提供し得る者であってよい。この第２ユーザーは、予め仲介サーバの記憶手段に保持されておく必要があり、例えば第２ユーザーの名称、住所、電話番号、電子メールアドレス等で登録する他、当該第２ユーザーが任意に設定した記号により登録する事も可能である。但し、仲介サーバが保持する情報としては、当該第２ユーザーを特定する情報の他、当該第２ユーザーが任意に設定した対応地域情報を含む必要がある。
【００２１】
以上の様に第２ユーザーに関する特定情報と対応地域情報を仲介サーバの記憶手段に登録する事により、第１ユーザーからリクエスト情報をリクエスト情報登録手段に記録する事により、情報抽出手段は、リクエスト情報を読み出し、当該リクエスト情報に含まれる地域情報に従って、当該リクエスト情報及び第１ユーザーを特定する一意のコードを、特定の第２ユーザーに提供する。
【００２２】
即ち、情報抽出手段は、リクエスト情報から地域情報を読み出し、これを検索キーとして、当該地域情報を対応地域情報として登録している第２ユーザーを抽出する。そして抽出した第２ユーザーに対して、リクエスト情報と第１ユーザーを特定する一意のコードを提供する。なお、このリクエスト情報と第１ユーザーを特定する一意のコードの提供は、電子メールによって提供する他、例えば仲介サーバからファクシミリ番号を指定してファクシミリにより提供する事もできる。
【００２３】
そして上記本発明に係る仲介サーバは、更に以下の有利な構成を伴って構成する事もできる。
即ち、前記記憶手段には、前記第１ユーザー毎に区画された第１ユーザーページが設けられており、当該第１ユーザーページに対して、前記第２ユーザーがリクエスト情報に対応する提案情報を記録する為の提案情報記録手段を具備する仲介サーバとすることができる。
【００２４】
当該第１ユーザーページは、仲介サーバの記憶手段などに設けられた領域であり、当該領域について第１ユーザー毎の一意のコードを設定する事により形成する事ができる。当然、この第１ユーザーページへのアクセスに際しては、第１ユーザー毎の一意のコードの照合が必要であり、更に当該一意のコードに対応付けたパスワードの照合も行い様に構成する事ができる。
【００２５】
そして提案情報記録手段は、当該第１ユーザーページに対して、第２ユーザーが提案情報の記録できるように機能する。この時、当該提案情報記録手段は、第２ユーザーによる提案情報の記録（投稿）のみを許容するものであり、何れかの第２ユーザーが、他の第２ユーザーが記録した提案情報を閲覧し得ない様に、当該第１ユーザーページに対するアクセス権限を制御するのが望ましい。
【００２６】
かかる提案情報としては、リクエスト情報が不動産情報である場合には、それに対応する不動産物件情報、即ち不動産物件の所在する地域情報、広さ、間取り、階数、賃貸又は購入費用、日当たり、築年数、周辺環境等の各種の情報とすることができる。また物品の販売又は購入に関するリクエスト情報である場合には、販売又は購入を希望する物品名、価格、状態、程度、販売又は購入を希望する物品の所在である地域情報等の各種の情報とする事ができる。そして役務の提供を希望するリクエスト情報である場合には、役務の提供を受ける場所、役務の内容、予算等の各種の情報とする事ができる。
【００２７】
また、前記提案情報記録手段は、前記抽出手段によりリクエスト情報と第１ユーザーを特定する一意のコードを取得した第２ユーザーに限って、前記第１ユーザーページに提案情報を記録できるように管理する事も望ましい。即ち、当該提案情報記録手段が、前記情報抽出手段が第２ユーザーに提供した記録を参照して、当該第２ユーザーが、前記第１ユーザーページに記録する権限の有無を確認する様に構成した仲介サーバとすることもできる。この様に提案情報記録手段を構成するには、第１ユーザーを特定する一意のコードと、当該第１ユーザーのリクエスト情報を配信した第２ユーザーを特定するコードとを関連付けて記録して置き、第２ユーザーが当該第１ユーザーページに記録する場合に、当該第２ユーザーを特定するコードなどを照合する事により実施できる。
【００２８】
このように、リクエスト情報を取得した第２ユーザーのみが、当該リクエスト情報を登録した第１ユーザーの第１ユーザーページに提案情報を記録できるようにする事により、第１ユーザーにとっても一層有用な情報が集まる事になり、情報の氾濫を避ける事ができる。
【００２９】
そして上記本発明に係る仲介サーバは、リクエスト情報が価格・金銭等の一定の評価を伴う場合には、当該リクエスト情報の入力に際して、相場情報を第１ユーザーに対して提示するように構成する事もできる。即ち、前記記憶手段には、地域情報に関連付けて記録された相場情報が保持されており、第１ユーザーによる地域情報の指定に応呼して、当該指定された地域情報を取得すると共に、当該地域情報に関連付けて保持されている相場情報を記憶手段から抽出して前記第１ユーザーに提供する相場情報提供手段を具備する仲介サーバとすることもできる。
【００３０】
例えば第１ユーザーが不動産物件情報についてのリクエスト情報を入力する場合、当該不動産物件が存在する地域についての家賃相場を提示する事ができる。かかる相場情報の提示は、第１ユーザーが地域情報を選択した事により、当該地域情報を取得して、これをもとに相場情報を抽出し、これを第１ユーザーが操作する端末に提供する様にしても良い。係る相場情報を提示する事により、第１ユーザーは市場における相場を考慮したリクエスト情報を特定する事ができる。
【００３１】
更に本発明に係る仲介サーバは、目的とする地域を中心として、当該目的地点までの移動時間や距離に基づいて地域情報をセットするように構成する事ができる。即ち、前記記憶手段には、目的地域情報と当該目的地域情報からの移動時間ごとの地域情報とが保持されており、前記第１ユーザーによる目的地域情報と当該目的地域情報までの移動時間の指定に基づいて、候補となる地域情報リストを記憶手段から抽出して第１ユーザーに提供する地域情報選択手段を具備し、第１ユーザーが地域情報リストから選択した地域を、前記地域情報としてセットする仲介サーバとすることができる。
【００３２】
これは、例えば不動産情報をリクエスト情報とする場合には、勤務先や学校等の目的地を目的地域情報として選択し、当該目的地までの移動時間から地域情報を設定する事ができる。また物品の販売又は購入希望をリクエスト情報とする場合には、当該物品の所在する地域又は第１ユーザーの所在地域を目的地域情報として選択し、当該目的地までの移動時間から地域情報を設定する事ができる。更に役務の提供を受けることを希望する場合には、役務の提供を受ける場所又は第１ユーザーの所在する地域を目的地域情報として選択し、当該目的地までの移動時間から地域情報を設定する事ができる。
【００３３】
かかる目的地域情報からの地域情報の特定は、両者を移動時間のパラメータで関連付けたデータベースシステムやファイルシステムによって実現する事ができる。特に、第１ユーザーにより、目的地域情報が選択され、移動時間も選択されれば、当該データベースシステムやファイルシステムの抽出結果から、候補となる地域の選択により、これを地域情報にセットすることで実現可能である。
【００３４】
上記本発明において、第１ユーザー又は第２ユーザーに対する各種情報の提供は、電子メール形式で送信する他、電子メール以外のメッセージを情報通信ネットワークを介して送信する事も含まれる。更に第１ユーザー又は第２ユーザーが操作する端末（クライアント）から、情報通信ネットワークを介して仲介サーバにアクセスして、当該仲介サーバが保持する情報を閲覧する事も含まれる。
【発明の効果】
【００３５】
上記本発明に係る仲介サーバによれば、ニーズ情報であるリクエスト情報を取得し、当該得リクエスト情報から取得した地域情報に基づいて、これを配信するシーズ提供者である第２ユーザーを特定する事により、第２ユーザーであるシーズ提供者には有用なニーズ情報（リクエスト情報）のみを提供する事が可能になる。
【００３６】
特に、本発明に係る仲介サーバは、ニーズであるリクエストの内容を実現する為には、地理的要素が大きく影響する場合、例えば不動産情報などについてニーズとシーズをマッチングさせる場合に有用である。よって本発明により、地理的情報、即ち地域情報を主としてニーズ情報（リクエスト情報）を分類し、当該ニーズを解決するのに適したシーズ提供者（第２ユーザ）を、地域情報に基づいて選定できるようにした仲介サーバを提供する事ができる。
【００３７】
そして本発明に係る仲介サーバを、特に不動産情報を取得する為に使用する場合には、不動産事業者毎に保有する自己管理物件情報を有効に活用することができ、当該不動産事業者が多くの物件情報を保有する地域に不動産物件を探しているユーザーの情報を、当該シーズ提供者である不動産事業者に提供するようにした仲介サーバが実現する。
【図面の簡単な説明】
【００３８】
【図１】本実施の形態に係るマッチングシステムの全体構成図
【図２】図１のマッチングシステムにおける仲介サーバと各クライアントにおける処理を示すシーケンス図
【図３】仲介サーバの記憶装置に保持する不動産業者情報の項目を示す図面
【図４】仲介サーバの記憶装置に保持するユーザー情報の項目を示す図面
【図５】リクエスト情報入力項目を示す図面
【図６】仲介サーバの記憶装置に保持するリクエスト情報の項目を示す図面
【図７】不動産事業者に配信されるリクエスト情報とユーザー情報の項目を示す図面
【図８】マイページの表示項目を示す図面
【図９】ハードウエア構成を示すブロック図
【発明を実施するための形態】
【００３９】
以下、図面を参照しながら、本実施の形態に係る仲介サーバ１０と、これを利用したニーズとシーズのマッチングシステムを具体的に説明する。特に本実施の形態は、不動産情報を扱う為の仲介サーバ１０として具体化した例について説明する。
【００４０】
図１は、本実施の形態に係るマッチングシステムの全体構成を示している、この図では、不動産物件を探している第１ユーザーである一般ユーザーが操作する利用者クライアント２０と、仲介サーバ１０と、不動産物件情報を一般ユーザーに提供する第２ユーザーである不動産業者が操作する不動産事業者クライアント３０とで構成されており、これらはインターネット等の情報通信ネットワークを介して接続されている。特に、この図では利用者クライアント２０としてはコンピュータの他、携帯電話等のＰＤＡ端末を使用する事ができ、これらは複数の一般ユーザーが、それぞれネットワークを介して接続可能に構成されている。また不動産業者が操作するクライアントは、本実施の形態では１台しか示していないが、当該マッチングシステムには、複数台の不動産事業者クライアント３０が接続される。
【００４１】
図２は、当該マッチングシステムにおける仲介サーバ１０と各クライアント２０，３０における処理を示すシーケンス図である。また、図３は仲介サーバ１０の記憶装置に保持する不動産業者情報の項目を示しており、図４は仲介サーバ１０の記憶装置に保持するユーザー情報の項目を示しており、図５はリクエスト情報入力項目を示しており、図６は仲介サーバ１０の記憶装置に保持するリクエスト情報の項目を示しており、図７は不動産事業者に配信されるリクエスト情報とユーザー情報の項目を示しており、図８はマイページの表示項目を示している。
【００４２】
以下、これらの図を参照しながら、当該マッチングシステムの処理の流れを説明する。
【００４３】
先ず、当該マッチングシステムによる処理を開始する為に、本システムによるリクエスト情報の取得を希望する不動産事業者の情報を仲介サーバ１０に登録する（Ｓ１０）。この登録に際しては、仲介サーバ１０とネットワークを介して接続されている不動産事業者クライアント３０から、必要な項目を入力することにより実施する事ができる。但し、この不動産業者情報の登録は、必要項目についての情報をファクシミリその他の方法により取得し、仲介事業者に於いて仲介サーバ１０に登録しても良い。
【００４４】
図３は、当該仲介サーバ１０に対する不動産業者情報の登録項目を示している、この例では、不動産業者の登録に際してＩＤを付与し、当該ＩＤに関連付けて不動産事業者の会社名、ＩＤに対応するパスワード、メールアドレスや電話番号等の他、当該不動産事業者が不動産情報を提供可能な地域についての情報である対応地域情報を仲介サーバ１０の記録手段に登録している。かかる不動産業者情報の登録に際しては、各不動産業者毎に広告ページ（又は不動産事業者用ページ）を記録する為の記録領域を貸与し、当該仲介サーバ１０にアクセスした一般ユーザーが、任意に各不動産業者に関する情報を閲覧できるようにしても良い。
【００４５】
上記の不動産事業者の登録が事前に行われている状態に於いて、仲介サーバ１０は一般ユーザーからのリクエスト情報を受け付けて、これを特定の不動産事業者に振り分け、情報を取得した不動産業者に於いて、任意に一般ユーザーが閲覧可能なマイページに不動産に関する提案情報を掲載する。
【００４６】
かかる処理を行う際に、ユーザーは仲介サーバ１０にネットワークを介してアクセスし、当該仲介サーバ１０の記憶装置にユーザー情報を登録する（Ｓ１２）。かかるユーザー情報は一般ユーザーが操作する利用者クライアント２０からの操作により入力する事ができる。ユーザー登録に使用する情報としては、例えば図４に示す項目とする事ができる。この例では一般ユーザーを識別する為の一意のコードとして、当該一般ユーザーが使用している電子メールアドレスを使用しており、当該電子メールアドレスをＩＤとしてパスワードやユーザー登録日などの情報を仲介サーバ１０の記憶装置に記録している。
【００４７】
ユーザー登録が行われると、仲介サーバ１０は当該電子メールアドレスをＩＤとしたログイン状態を保持して、リクエスト情報入力画面を読み出し（Ｓ１４）、これを一般ユーザーの利用者クライアント２０に提供し、当該クライアント２０に表示させる（Ｓ１６）。これにより、一般ユーザーは利用者端末を操作して、自己が希望する不動産情報についての要件を入力可能となる（Ｓ１８）。ここで要求されるリクエスト情報としては、例えば図５の項目とする事ができる。図５では、不動産物件を探している地域情報の入力項目の他、アパート、マンション、又は戸建の区別、不動産物件の広さ、間取り、最寄り駅までの距離（又は移動時間）、賃料、入居予定日などの項目の入力を要求している。特に本実施の形態では、当該入力項目についての優先度を入力可能にしており、何れの要件（条件）を重要視しているのかを、仲介サーバ１０を介して不動産事業者に提供できるように構成している。また同じような考えで、重要視する要件（条件）、即ち妥協できない要件についてのチェック欄を設けることもできる。
【００４８】
更に本実施の形態では、当該リクエスト情報の入力に際して、賃料に関する相場情報を表示するように構成している。この相場情報表示欄は、例えば地域を特定した段階で、各賃料ごとの件数を表示し、更にアパート、マンション、又は戸建の区別を特定した段階で、これに該当する不動産物件情報の各賃料ごとの件数を表示する事ができる。同じように各入力項目が選択された段階で、それらの項目に合致した賃料毎の物件数を表示するように構成する事ができる。係る相場情報の基になるデータは、現在募集されている不動産情報に基づいて作成するのが望ましいが、単に相場を示唆するものである事から、過去の実績データを基に作成しても良い。また、当該相場情報を出力する為のデータは、リクエスト情報の入力項目と実際の賃料をフィールド項目とする事ができ、本実施の形態では、地域情報、アパート、マンション、又は戸建の区別、不動産物件の広さ、間取り、最寄り駅までの距離（又は移動時間）、入居予定日、実際の賃料などをフィールド項目とするテーブルとして作成する事ができる。また、この相場情報は、図５に示した様な態様に限ることなく、取得した地域情報や、アパート、マンション又は戸建の区別等に基づいて、間取りや広さに応じた平均的な賃料の相場をリストとして表示する事もできる。
【００４９】
そして利用者クライアント２０におけるリクエスト情報の入力が完了すると、当該入力されたリクエスト情報は、仲介サーバ１０のメモリ等の一次記憶装置か、ディスク等の２次記憶装置に保持される（Ｓ２０）。このリクエスト情報は、例えば図６に示すような形態で記憶装置に保持しておくことができる。この図６では、一般ユーザーに対応した一意のメールアドレスごとに、前記リクエスト情報入力画面で入力したリクエスト情報を保持するように構成している。
【００５０】
この記憶装置に保持されたリクエスト情報は、その中から地域情報が、仲介サーバ１０を構成する中央処理装置に読み込まれたプログラムによって抽出される（Ｓ２２）。この抽出された地域情報に基づいて、前記不動産業者登録情報における対応地域の情報を検索し、当該地域情報を含む不動産事業者を特定して、そのＩＤと電子メールアドレスを抽出する（Ｓ２４）。そして抽出した電子メールアドレス宛に、一般ユーザー対して一意に関連付けられた電子メールアドレスと、当該電子メールアドレスに関連付けられたリクエスト情報を配信し（Ｓ２６）、不動産事業者は、当該リクエスト情報とユーザー情報（電子メールアドレス）を取得する事ができる（Ｓ２８）。不動産事業者が取得する情報は、例えば図７に示すように、各一般ユーザー毎にリクエスト情報を一覧にした情報とする事ができ、またユーザー欄に記載された情報を選択する事により、当該一般ユーザーのマイページへのアクセスを、仲介サーバ１０に対してリクエストするように構成する事もできる。なお、この不動産事業者におけるユーザー情報とリクエスト情報の取得は、必ずしも電子メールにより取得する必要は無く、例えば不動産事業者毎に仲介サーバ１０に作成された不動産事業者用ページに記録する他、当該不動産事業者のファクシミリ等に配信・出力する事もできる。
【００５１】
かかるユーザー情報とリクエスト情報を取得した不動産事業者は、不動産事業者クライアント３０のディスプレイに、リクエスト情報を発信した一般ユーザーのマイページの呼び出しをするため、当該マイページへのアクセスを仲介サーバ１０に要求する（Ｓ３０）。このアクセス要求に際して、仲介サーバ１０は、一般ユーザーが入力したリクエスト情報を受信した不動産業者であるか否かを、当該不動産業者に付与したＩＤ等により確認し（Ｓ３２）、整合しなければ当該マイページへのアクセスを拒否する。一方で当該不動産事業者がアクセス権限を有する場合には、当該マイページに対するアクセスを許可し、当該リクエスト情報に対する提案情報の入力処理に進む事ができる。
【００５２】
不動産事業者は不動産事業者端末から、自己が保有する不動産情報を提案情報としてマイページに入力し（Ｓ３４）、仲介サーバ１０はこれを記憶装置に保存する（Ｓ３６）。そして、仲介サーバ１０の記憶装置に設けられたマイページに提案情報が記録されると、当該仲介サーバ１０は、一般ユーザーの登録してある電子メールアドレス宛に、新規提案情報が登録された事を通知する電子メールを提供し（Ｓ３８）、これにより一般ユーザーは、当該マイページに掲載された提案情報を確認する事ができる。
【００５３】
図８は、一般ユーザーが閲覧可能なマイページの表示項目を示しており、この図に於いては複数の不動産事業者から提供された提案情報を一覧表示するものとして構成している。特に、この実施の形態では、当該マイページに表示する提案情報のうち、一般ユーザーが指定した優先度の項目について一覧表示する様にしている。これにより、当該一般ユーザーの希望に沿った不動産物件情報（提案情報）を一覧から、簡単に見つけ出すことができる。特に、このマイページでは不動産物件の取引形態を表示する欄が設けられている。この取引形態欄には、不動産事業者が入力した不動産物件の取引形態を反映して表示するように構成されており、例えば専任、媒介、自社物件等の区別を表示する事ができる。これは、例えば同じ不動産物件情報が、異なる不動産事業者からの提案情報として複数記録された場合に、ユーザーがどの提案情報を選択するかを容易にする為である。また、この図に於いて、各レコードを指定する事により、当該レコードに対する不動産物件情報を物件情報の詳細の欄にイメージ出力できるように構成している。
【００５４】
以上の様に構成した本実施の形態にかかる仲介サーバ１０は、一般ユーザーが不動産物件を探している地域を特定した情報（地域情報）を取得し、当該地域情報により当該リクエスト情報を配信する不動産事業者を特定することができる。そして特定される不動産事業者は、不動産業者情報登録段階で、自ら多くの不動産情報を所有する地域を特定している事から、不動産事業者にとっても成約率の高い有用な情報を取得する事ができる。一方で、一般ユーザーに於いても、希望する地域について、多くの不動産情報を所有する不動産事業者からの情報を取得でき、インターネットや刊行物に掲載されている情報よりもタイムリー且つ公表されていない不動産情報を取得する事ができる。
【００５５】
次に、図９に基づいて本実施の形態に係る上記仲介サーバ１０や各クライアント２０，３０として用いられるコンピュータのハードウエア構成の例について説明する。ただし、図９のコンピュータ５００は、上記仲介サーバ１０や各クライアント２０，３０の代表的な構成を例示したにすぎない。
【００５６】
コンピュータ５００は、ＣＰＵ５０１、メモリ５０２、音声出力装置５０３、ネットワークインタフェース５０４、ディスプレイコントローラ５０５、ディスプレイ５０６、入力機器インタフェース５０７、キーボード５０８、マウス５０９、外部記憶装置５１０、外部記録媒体駆動装置５１１、およびこれらの構成要素を互いに接続するバス５１２を含んで構成されている。
【００５７】
ＣＰＵ５０１は、コンピュータ５００の各構成要素の動作を制御し、ＯＳの制御下で、上記仲介サーバ１０や各クライアント２０，３０の各処理の実行をコントロールし、その動作を制御するものであり、本明細書における一般ユーザー（第１ユーザー）登録手段、リクエスト情報登録手段、不動産業者（第２ユーザー）登録手段、情報抽出手段、提案情報記録手段、相場情報提供手段、地域情報選択手段に相当する。メモリ５０２は通常、不揮発性メモリであるＲＯＭ（Ｒｅａｄ  Ｏｎｌｙ  Ｍｅｍｏｒｙ）、および揮発性メモリであるＲＡＭ（Ｒａｎｄｏｍ  Ａｃｃｅｓｓ  Ｍｅｍｏｒｙ）から構成され、記憶部に相当する。ＲＯＭには、コンピュータ５００の起動時に実行される上記仲介サーバ１０等で実行されるプログラム等が格納される。ＲＡＭには、ＣＰＵ５０１で実行され、特にユーザー情報の登録や、リクエスト情報からの地域情報の抽出、地域情報と対応地域情報のマッチング、不動産事業者の抽出、不動産事業者のマイページへのアクセス権限のチェックなどを実現するためのプログラムや、それらのプログラムが実行中に使用するデータ（たとえば、データベースやファイルシステムから読み出されたデータ）が一時的に格納される。
【００５８】
音声出力装置５０３は、スピーカ等の、音声を出力する機器であり、ネットワークインタフェース５０４は、ネットワーク５２０に接続するためのインタフェースである。ディスプレイコントローラ５０５は、ＣＰＵ５０１が発する描画命令を実際に処理するための専用コントローラである。ディスプレイコントローラ５０５で処理された描画データは、一旦グラフィックメモリに書き込まれ、その後、表示部としてのディスプレイ５０６に出力される。かかるディスプレイ５０６は、たとえば、ＬＣＤやＣＲＴで構成される表示装置である。
【００５９】
入力機器インタフェース５０７は、キーボード５０８やマウス５０９、或いはタッチパッドなどの入出力デバイスから入力された信号を受信して、その信号パターンに応じて所定の指令をＣＰＵ５０１に提供する。キーボード５０８やマウス５０９は、プログラムの実行や操作を行う場合に必要となる。
【００６０】
外部記憶装置５１０も本明細書における記憶手段の範疇に含まれる。かかる外部記憶装置５１０は、たとえばハードディスクドライブ（ＨＤＤ）のような記憶装置で構成することができる。この装置内には上述したプログラムやデータが記録され、実行時に、必要に応じてそこからメモリ５０２のＲＡＭにロードされる。
【００６１】
外部記録媒体駆動装置５１１は、ＣＤ（Ｃｏｍｐａｃｔ  Ｄｉｓｃ）、ＭＯ（Ｍａｇｎｅｔ−Ｏｐｔｉｃａｌ  Ｄｉｓｃ）、ＤＶＤ（Ｄｉｇｉｔａｌ  Ｖｅｒｓａｔｉｌｅ  Ｄｉｓｃ）などの可搬型の外部記録媒体５３０の記録面にアクセスして、そこに記録されているデータを読み取る装置である。
【００６２】
なお、上記の実施の形態では、不動産物件の賃貸の例について説明してきたが、当該不動産物件の売却又は購入に際しても適用する事ができ、更に物品の販売や購入、或いは役務の提供を受ける場合等においても適用する事ができる。
【００６３】
よって、本実施の形態に限ることなく、本発明の趣旨を逸脱しない範囲に於いて、適宜実施する事ができる。
【符号の説明】
【００６４】
１０    仲介サーバ
２０    利用者クライアント
３０    不動産事業者クライアント
５００    コンピュータ
５２０    ネットワーク
【図１】
2014071781.tif 000003
【図２】
2014071781.tif 000004
【図３】
2014071781.tif 000005
【図４】
2014071781.tif 000006
【図５】
2014071781.tif 000007
【図６】
2014071781.tif 000008
【図７】
2014071781.tif 000009
【図８】
2014071781.tif 000010
【図９】
2014071781.tif 000011